(57)【特許請求の範囲】
【請求項１】
トラップであって、
（ａ）背壁と、前面カバーと、内部空間及び１つ又は複数の開口を画定する壁と、前記開口に隣接して位置付けられた反射性である隔壁とを備えるハウジングであって、前記前面カバーが前記ハウジングに枢動可能に接続されている、ハウジングと；
（ｂ）少なくとも１つＬＥＤライトを備える、第一の光源及び第二の光源であって、前記第一の光源は、３５０〜４２５ｎｍの範囲の１つ又は複数の波長の光を放射し、前記第一の光源は、光が前記トラップの外側に向けられるように位置づけられ、前記第二の光源は、光を前記隔壁から前記トラップの前記内部空間内へ反射するように位置付けられた、光源と；
（ｃ）前記内部空間に据え付けられ、かつ節足動物を動けなくするか、殺傷するか、または封じ込めるように構成された、抑制要素と、を備える、トラップ。
【請求項２】
前記光源に電力を送達するように適合された電源を更に備える、請求項１に記載のトラップ。
【請求項３】
前記抑制要素が接着板又は電気的抑制要素である、請求項１又は２に記載のトラップ。
【請求項４】
前記第一の光源及び前記第二の光源が、帯型ＬＥＤライトを備える、請求項１〜３のいずれか一項に記載のトラップ。
【請求項５】
前記第二の光源が紫外光を放射する、請求項１〜３のいずれか一項に記載のトラップ。
【請求項６】
前記第一の光源は、３６５ｎｍの波長の光を放射するように構成された、請求項１に記載のトラップ。
【請求項７】
前記前面カバーがヒンジによって前記ハウジングに接続され、前記前面カバーが、開位置及び閉位置を有する、請求項１に記載のトラップ。
【請求項８】
前記前面カバーが着脱可能である、請求項１に記載のトラップ。
【請求項９】
前記背壁及び前記前面カバーが、１つ又は複数の開口を画定する、請求項１に記載のトラップ。
【請求項１０】
前記ハウジングが：上端開口、１つ又は複数の側面開口、下端開口、またはそれらの組合せを更に備える、請求項１に記載のトラップ。
【請求項１１】
前記ハウジングが、前記内部空間にフレームを備え、前記第一の光源及び前記第二の光源が前記フレーム上に据え付けられる、請求項１に記載のトラップ。
【請求項１２】
前記ＬＥＤライトが、イエバエ、ショウジョウバエ、又はガを誘引するように選択された波長を有する、請求項１〜１１のいずれか一項に記載のトラップ。
【発明の詳細な説明】
【技術分野】
【０００１】
本出願は、国際出願として２０１６年５月２６日に出願されており、２０１５年６月１０日に出願された米国仮特許出願第６２／１７３，７６０号、及び、２０１５年５月２９日に出願された米国仮特許出願第６２／１６８，３２０号の優先権の利益を主張し、それらの開示全体は、参照により本明細書に組み込まれる。
【０００２】
本開示は、一般的なのイエバエを含む飛翔昆虫を誘引し、捕獲し、かつ殺傷するための方法及び装置に関する。本開示は、飛翔昆虫を誘引し、動けなくするように構成された、１つ又は複数の光源を備える照明トラップを含む装置にさらに関する。
【背景技術】
【０００３】
光源付き昆虫トラップは、飛翔昆虫を誘引し、捕獲し、動けなくし、かつ／または殺傷することが一般に知られている。多くのハエ及び他の飛翔昆虫などの走光性昆虫は、光に向かって移動し、光源を利用するトラップに誘引され得る。異なる昆虫は、異なる波長の光に誘引され得る。例えば、ハエ（例えば、一般的なハエ、汚物ハエ、及びイエバエ）は、３５０〜３７０ｎｍの範囲、または特に３６５ｎｍの、紫外（ＵＶまたはＵＶＡ）光を含む、光に誘引されることが知られている。他方、ショウジョウバエは、４７０ｎｍ〜５６０ｎｍの範囲の青色及び緑色の光に最も強く反応し、ガ（例えば、ノシメマダラメイガ）は、４７０〜５００ｎｍの範囲の青色光に反応する。一部の光の波長は、一生の初期段階における飛翔害虫の死亡率も増加させ、成虫の寿命を減少させ得る。
【発明の概要】
【発明が解決しようとする課題】
【０００４】
発光ダイオード（ＬＥＤ）を利用する改良された光源は、さらに広範に利用可能になっている。しかし、ＬＥＤは、以前の昆虫トラップでの使用でそれら自体が役に立たない、従来の白熱光源及び蛍光光源とは異なる特性を有する。本開示がなされるのは、この背景に対してである。
【課題を解決するための手段】
【０００５】
本開示は、壁及び少なくとも１つの開口を有するハウジングであって、壁が、内部空間を画定する、ハウジングと、内部空間に据え付けられた方向性光源を備える光源と、を備えるトラップに関する。光源は、３５０〜５００ｎｍの範囲の１つ又は複数の波長の光を放射するように構成される。光源は、光源から放射された光の大部分が、内部空間における１つ又は複数の面に向けられるように、位置付けられる。トラップは、内部空間に据え付けられ、節足動物を動けなくするか、殺傷するか、または封じ込めるように構成された、抑制要素も備える。
【図面の簡単な説明】
【０００６】
【図１】実施形態に従う、昆虫トラップの概略図である。
【図２】図１の昆虫トラップの部分切り出し図である。
【図３】図１の昆虫トラップの断面図である。
【図４Ａ】実施形態に従う、開放された前面カバー付き昆虫トラップの半透明斜視図である。
【図４Ｂ】実施形態に従う、開放された前面カバー付き昆虫トラップの斜視図である。
【図５】実施形態に従う、昆虫トラップの概略描写である。
【図６】壁に据え付けられた図１の昆虫トラップの断面図である。
【図７】実施形態に従う、昆虫トラップの概略図である。
【図８】実施形態に従う、昆虫トラップの概略図である。
【図９Ａ】実施形態に従う、昆虫トラップ用の例示的なハウジングの正面図である。
【図９Ｂ】実施形態に従う、昆虫トラップ用の例示的なハウジングの斜視図である。
【図１０】実施形態に従う、昆虫トラップ用の例示的なハウジングの斜視図である。
【図１１】実施例１の結果のグラフ式表現である。
【図１２Ａ】実施例２における試験設定を示す。
【図１２Ｂ】実施例２における試験設定を示す。
【図１２Ｃ】実施例２における試験設定を示す。
【図１２Ｄ】実施例２における試験設定を示す。
【図１３】実施例２の結果のグラフ式表現である。
【図１４】実施例３の結果のグラフ式表現である。
【図１５】実施例５の結果のグラフ式表現である。
【図１６】実施例６の結果のグラフ式表現である。
【図１７】実施例７において試験された昆虫トラップの実施形態の写真である。
【図１８】実施例８の結果のグラフ式表現である。
【図１９】実施例９の結果のグラフ式表現である。
【図２０】実施例１０の結果のグラフ式表現である。
【図２１】実施例１１の結果のグラフ式表現である。
【図２２】実施例１２の結果のグラフ式表現である。
【図２３】実施例１３の結果のグラフ式表現である。
【図２４】実施形態に従う、開位置における昆虫トラップの正面斜視図である。
【０００７】
様々な説明された特徴は、正確な縮尺率ではないが、本開示に関連した特定の特徴を描写している。参照番号は、図の全体を通して同じ特徴を示す。
【発明を実施するための形態】
【０００８】
本開示は、一般のイエバエ及び他の昆虫などの飛翔節足動物を誘引し、捕獲し、かつ殺傷するための方法及び装置に関する。装置は、１つ又は複数の光源を備える照明トラップ、及び、節足動物を誘引し、動けなくするように構成された抑制要素を含む。
【０００９】
用語「昆虫（ｉｎｓｅｃｔ）」は、本開示の方法及び装置の使用説明に使用されるが、方法及び装置は、他の節足動物を誘引し、捕獲し、殺傷するのにも使用されることができることを、当業者は容易に理解されるであろう。
【００１０】
用語「約（ａｂｏｕｔ）」は、当業者によって期待された通りの測定における正常変動を含む、数値と併せてここで使用され、「およそ（ａｐｐｒｏｘｉｍａｔｅｌｙ）」と同じ意味を有し、表示値の±５％などの、典型的な誤差を隠すことが、理解される。
【００１１】
用語「方向性ライト（ｄｉｒｅｃｔｉｏｎａｌ  ｌｉｇｈｔ）」は、多重方向に放射される光と対照的に、「方向性光源（ｄｉｒｅｃｔｉｏｎａｌ  ｌｉｇｈｔ  ｓｏｕｒｃｅ）」から一方向に放射される光について本明細書において言及するのに使用される。本開示の目的のために、「方向性ライト（ｄｉｒｅｃｔｉｏｎａｌ  ｌｉｇｈｔ）」は、狙いを付けられるつまり方向を持つことができる光ビームについて言及するのに使用される。このような光ビームは、１８０°未満（例えば、約９０°未満）のビーム角を有する。ビーム角とは、角度で測定された、光源からの光のビームの幅のことである。パラボラ（「ＰＡＲ」）電球から発するビーム角は、１５°未満の場合は極狭スポット光、１５°〜３０°の場合は狭スポット光、３０°〜６０°の場合はスポット光、９０°〜１２０°の場合はフラッド光、１２０°〜１６０°の場合は幅広フラッド光、及び、約１６０°の場合は極幅広フラッド光として、通常は説明される。方向性光源の例としてＬＥＤがある。拡散器またはレンズと結合されていない単一ＬＥＤは、通常は約２０°〜２４°のビーム角を有する。複合ＬＥＤユニットは、方向性ライトとして構成され得る電球において、または、電球の少なくとも一部が方向性ライトとして構成される電球においてグループ化され得る。通常、多重方向に光を放射する光源の例は、蛍光電球、白熱電球、ハロゲン電球などを含む。本開示の目的のために、円錐拡散器の使用によって集光された、蛍光、白熱、及びハロゲンの電球は、「方向性光源」として見なされない。
【００１２】
同じまたは類似の参照番号は、図における同一部分またはその実施形態を表すのに使用される。例えば、参照番号１００及び１００’は、ハウジングの実施形態を表すのに使用される。
【００１３】
多くの既存の昆虫トラップは、ハエを誘引する際のそれらの電気効率及び有効性のために、蛍光電球を利用する。実際は、捕食者を避ける方法として、ハエは紫外光を使用する。ハエを食べようとしている動物から逃れるために、ハエは高レベルの紫外光の方へ飛ぼうと試みるだろう。したがって、昆虫トラップは、ハエを誘引する紫外光をしばしば利用する。しかし、自然太陽光によく似ている蛍光紫外電球は、紫外線に加えて他の波長も放射する。他方、ＬＥＤは、通常、光の極狭い帯域を放射し、多くの他の波長を放射しない。したがって、自然光とは異なり、ＬＥＤ紫外光は、紫外線に加えて、他の波長をわずかしか放射しない。ＬＥＤライトは、昆虫が見るのに使用する非点光源（例えば、大気を通って拡散する太陽光）とは異なる、点光源を提供するという点において、ＬＥＤライトは自然太陽光（及び、ほとんどの他の人工光源）とも異なる。ＬＥＤは、それらを他のタイプの電球と望ましく交換させる、多くの特性を有するが（例えば、長い寿命及び低エネルギー使用）、ＬＥＤのいくつかの特性（例えば、方向性光ビーム、小型、狭い波長帯）は、ＬＥＤ電球の異なる特徴を考慮することなしには、それらを昆虫トラップに用いるのには役立たない。本開示は、ＬＥＤの性質を活用しながら、ハエの誘引に高い有効性を実現するように構成された昆虫トラップに関する。
【００１４】
本開示の昆虫トラップは、光源、電源、抑制要素、及び随意な餌場所及びフェロモン剤を含む、昆虫トラップの作動要素を格納するためのフレームを含む。フレームは、筐体を画定するハウジングとして構成され得る。ハウジングは、昆虫を筐体に入れることができる、１つ又は複数の開口を含み得る。開口は、例えば、トラップから死骸昆虫を空にすることによって、また、餌、接着板、光源などの消耗品要素を交換することによって、昆虫トラップのメンテナンスも可能であるように、十分に大きくあり得る。あるいは、ハウジングは、内部に立ち入れるように開かれることができる、可動または着脱可能な部品を含むことができる。ハウジングは、昆虫トラップの作動要素を収容することができる、任意の適切なサイズまたは形状に構成されることができる。
【００１５】
ハウジングは、光源によって放射された光の一部がハウジングの外の昆虫に見え、こうして、昆虫を筐体に入るように誘引するように、構成され得る。しかし、いくつかの実施形態においては、ハウジングは、光源からの光の大部分が筐体から漏れないように、構成される。例えば、光の一部はハウジングの１つ又は複数の開口を通って筐体から漏れ得るが、光の大部分は筐体の内部の面を照らす。いくつかの好ましい実施形態において、筐体から漏れる光は、昆虫トラップに隣接する（例えば、後方及び／または上方の）壁に向けられる。ハウジングは、筐体を出た光が隔壁に向けられるように、１つ又は複数の開口に隣接して位置付けられた１つ又は複数の隔壁も含むように構成され得る。
【００１６】
光源によって放射され、昆虫トラップの近くの領域を照らす光は、昆虫をトラップに誘引する。いくつかの実施形態において、開口は、昆虫にとって誘引性のある着地パッドを作るように照らされる。ハウジングは、餌場所に提供された餌などの餌要素、または昆虫にさらなる誘因性を増進するフェロモン構成要素を随意に含み得る。餌が使用される場合、餌は殺虫剤をさらに含み得る。昆虫が筐体に入った後、昆虫は抑制要素（例えば、捕獲装置）によって捕獲及び／または殺傷されるようになり得る。抑制要素は、接着板または電気駆除装置などの任意の適切な装置を備えることができる。
【００１７】
光源は、放射された光が昆虫を昆虫トラップに誘引するように選択されることができる。光源は、単一の波長つまり波長帯域で（例えば、紫外域において）、または複数の波長で（例えば、紫外光及び青色光、または紫外光及び緑色光、または任意の他の適切な組合せ）、または波長帯域にわたって（例えば、紫外光から緑色光まで）、光を放射するように構成されることができる。波長は、調整可能であり得、特定の昆虫を標的にするように選択され得る。通常、ハエ（例えば、一般的なハエ、汚物ハエ、及びイエバエ）は、３５０〜３７０ｎｍの範囲、または３６５ｎｍの紫外光に誘引される一方で、ショウジョウバエは４７０〜５６０ｎｍの範囲の青色及び緑色光に最も強く反応し、また、ガ（例えば、ノシメマダラメイガ）は、４７０〜５００ｎｍの範囲の青色光に反応する。
【００１８】
いくつかの実施形態において、昆虫トラップは、イエバエを誘引し、動けなくするように構成される。いくつかの他の実施形態において、昆虫トラップは、イエバエ、例えば、ショウジョウバエ、ノミバエ、またはガに加え、または代わりに、他の飛翔昆虫を誘引し、動けなくするように構成される。理論に制約されるのを望むことなく、光が筐体の面（例えば、筐体の内部のまたは隣接した面）に向けられるような、光源の方向性及びそれらの配置は、例えば、汚物ハエ、イエバエ、ノミバエ、ショウジョウバエ、及びガなどの一般的なハエを含む、様々なタイプの飛翔昆虫を捕獲するのに効果的であることが、信じられている。
【００１９】
１つの実施形態において、光源は少なくとも紫外光（例えば、長波ＵＶ、またはＵＶＡ）を放射する。例えば、光源は、約３５０〜約４５０ｎｍ、約３６５〜約４２５ｎｍ、約３８０〜約４１０ｎｍ、または約３８５〜約４０５ｎｍの波長の光を放射することができる。いくつかの実施形態において、光源は、青色（波長は約４５０〜５００ｎｍ）または緑色（波長は約４９５〜５７０ｎｍ）、または可視光と紫外光との間の中間帯域などの、１つ又は複数の他の波長の光も放射することができる。光源は、約３６０〜３８０ｎｍ、約３８０〜約３８５ｎｍ、約３８５〜約４１０ｎｍ、約４０５〜約４４０ｎｍ、約４５０〜４８０ｎｍ、約４９０〜５３０ｎｍ、及びそれらの任意の組合せで、光を放射するように選択されることができる。１つの実施形態において、昆虫トラップは、約４０５ｎｍ、または約４００〜約４１０ｎｍ、または約３８５〜約４２５ｎｍで、光を放射することができる、少なくとも１つの光ＬＥＤ源を含む。昆虫トラップは、このような電球の２つ、３つ、４つ、またはそれ以上を含み得、他の光源をさらに含み得る。光源は、複数の波長で光を放射することができるＬＥＤライトを含み得、また、特定の昆虫を標的にする特定の波長を選択するための機構を含むことができる。
【００２０】
ハウジングは、昆虫トラップの操作構成要素を収容する筐体を提供するように構成される。操作構成要素は、少なくとも１つの光源、電源、及び抑制要素、及び随意に餌構成要素を含む。しかし、電源などのいくつかの構成要素は、筐体の外側に位置付けられ得る。ハウジングは、任意の適切なサイズ及び形状であることができる。一般の箱型ハウジングは、図１〜８に概略的に示されるが、もちろん他の形状も可能である。ハウジングの代わりの実施形態は、図９Ａ、９Ｂ、１０、及び２４に示される。
【００２１】
ここで図１〜６を参照すると、昆虫トラップ１は、前壁１１０、側壁１２０、１３０、底部１４０、及び上部１５０によって概して画定される、ハウジング１００を備える。ハウジング１００は、前部及び側部が連続的に湾曲した形状を形作る場合、前壁１１０と、例えば、側壁１２０、１３０との間に明らかな区別は存在しないように、構成されることもできる。ハウジング１００は、昆虫がハウジング１００に入るのを可能にする、少なくとも１つの開口１７０を備える。少なくとも１つの開口１７０は、図１及び５〜７に示されるような単一の開口か、または例えば、図１０に示されるような複数の開口であり得る。開口１７０は、昆虫トラップ１の検査及び／またはメンテナンスを可能にする、ハウジング１００の内部へのアクセスも提供し得、また、それ相応に寸法付けされ得る。
【００２２】
いくつかの実施形態において、開口１７０は、ハウジング１００の上部またはその近くに位置付けられる。ハウジング１００は、ハウジング１００の異なる側に配置され得る、２つ以上の開口を含む。いくつかの実施形態において、ハウジング１００が２つ以上の開口を含む場合、開口１７０の少なくとも１つは、ハウジング１００の上部またはその近くに位置付けられる。いくつかの実施形態において、壁（例えば、側壁１２０、１３０、上部１５０、または底部１４０）のうちの１つ又は複数は、欠落し、開口１７０を与える。昆虫トラップ１は、筐体を提供しないが、その上に作動要素（光源２００、電源２５０、及び抑制要素３００）が据え付けられることができる据え付けフレームを提供する、フレーム５０でも構成され得る（図８を参照）。
【００２３】
昆虫トラップ１は、昆虫がハウジング１００上またはその傍に着地し、開口１７０を通って内部空間に這い入る、「ランドアンドクロール」トラップとして構成されることができる。昆虫トラップ１は、昆虫が開口１７０を通って内部空間に飛び入る、「フライイン」トラップとしても構成されることができる。別法として、昆虫トラップ１は、「ランドアンドクロール」と「フライイン」との組合せとして構成されることができる。通常は、「フライイン」トラップを促進するために、開口１７は、ハエ（例えば、イエバエまたは同様サイズのハエ）を捕獲するために構成されたトラップにおいて、その最小寸法における少なくとも約３インチ（７．６２ｃｍ）、または小さいハエ（例えば、ショウジョウバエまたは同様サイズのハエ）を捕獲するためにはより小さいであろう。「フライイン」トラップは、昆虫が着地するためのハウジング１００の内部に据え付けられた着地面も含む。いくつかの実施形態において、接着板３１０は、着地面としての機能を果たすことができる。
【００２４】
ハウジング１００（すなわち、筐体）の内部は、昆虫トラップ１の操作構成要素を促進する大きさに作られ得る。いくつかの実施形態において、光源２００は、白熱灯または蛍光灯より一般に小サイズであり、低電力で作動する、１つ又は複数のＬＥＤライトを含む。いくつかの実施形態において、筐体はより小さく作られることができる。他方、昆虫トラップ１は、ハウジング１００の内部に収納されることもできる、電源としての１つ又は複数のバッテリを装備されることができる。
【００２５】
いくつかの実施形態において、ハウジング１００、３１００は、ハウジング１００の内部にアクセスするための機構を備えている。例えば、ハウジング１００、３１００は、台座６０、３０６０（例えば、背壁１６０、３１６０を備えている）、及び、台座６０に可動及び着脱可能に取り付けられた前面カバー１０（例えば、前壁１１０、３１１０を備えている）を備えることができる。例えば、前面カバー１０、３０１０は、図４Ａ及び４Ｂ、及び２４に示されるように、ヒンジ１１１及び／または閉鎖機構によって台座６０、３０６０と結合されることができる。前面カバー１０、３０１０が、開位置（図２４に示される）及び閉位置の中に枢動されることができるように、前面カバー１０、３１１０は、台座６０、３０６０と枢動可能に結合されることができる。抑制要素（例えば、接着板）、光源２００、随意な餌場所、及び他の内部構成要素は、前面カバー１０、３１１０が開位置にある場合、アクセスされることができる。閉鎖機構は、スナップクロージャ、ネジ、ばねクロージャ、磁気クロージャなどの任意の適切な機構であることができる。代わって、ハウジング１００の別の部分、例えば、側壁１２０、１３０の１つは、着脱可能クロージャによって台座６０と結合されることができる。
【００２６】
昆虫トラップ１は、１つ又は複数の光源２００を備える。光源２００は、ソケット２２０、及びソケット２２０上に据え付けられた電球２１０を含むことができる。光源２００は、複数の電球２１０を備え得る。いくつかの実施形態において、電球２１０はＬＥＤライトを備える。電球２１０は、単一のＬＥＤから構成され得るか、または、単一の電球に据え付けられた複数のＬＥＤ付きの電球であり得る。複数のＬＥＤにおけるそれぞれのＬＥＤは、同じ波長かまたは異なる波長のいずれかの光を放射するように構成されることができる。電球２１０は、任意の適切な形状及びサイズのものであり得る。例えば、電球２１０は、従来の「電球形状」を有するか、または、プラグ状電球、管状電球、スポットライト型電球、帯型として、または単一のＬＥＤ要素として、構成され得る。電球２１０の形状及びサイズは、所望のハウジング形状及びサイズにぴったり合うように選択されることができる。例えば、帯状電球２１０または単一のＬＥＤは、ほっそりとした輪郭の小型ハウジングにおいて使用されることができるが、大型電球２１０は大型ハウジング用に選択されることができる。電球は、中心コアから多方向に向けられた複数のＬＥＤ構成要素を含む、多方向ＬＥＤ電球でもあり得る。他の実施形態において、光源２００は、白熱灯、蛍光灯、またはハロゲン灯などの、他のタイプのライトを備える。
【００２７】
電球２１０は、特定波長の光を放射するように選択されることができる。例えば、電球２１０は、約３４０〜約４９０ｎｍ、約３６５〜約４２０ｎｍ、約３８０〜約４１０ｎｍ、約３８５〜約４０５ｎｍ、または約４０５ｎｍの波長を有する光を放射することができる。光源２００は、異なる波長の光を放射するように選択されることができる、複数の電球２１０を備えることができる。例えば、光源２００は、３８０〜４００ｎｍ及び４００〜４２０ｎｍ、または約３８５ｎｍ及び約４０５ｎｍの光を放射する、電球を備えることができる。昆虫トラップ１は、標的昆虫に対して最適の光源を合致させる、光源２００の波長を調整または選択する、制御機構６００（例えば、図７に示されるように、スイッチまたは他の制御）も含み得る。実施形態によれば、昆虫トラップ２００は、異なる波長の光を放射する、複数のＬＥＤライトを備える光源２００を含み、また、光源２００は、光源２００によって放射された波長を制御するために、厳選したＬＥＤライトを点けるかまたは消すように制御されることができる。
【００２８】
いくつかの実施形態において、昆虫トラップ１は、制御システムによって制御されることができる。制御システムは、例えば、制御機構６００、及び遠隔で光源２００を制御する（例えば、赤外線またはＢｌｕｅｔｏｏｔｈ（登録商標）を用いて）のに使用されることができる、遠隔制御アクセスを含むことができる。遠隔制御アクセスは、昆虫トラップ１に結合された、エミッタ及び受信器６０１の使用によって提供されることができ（例えば、電源または光源２００を使用して）、コンピュータまたはモバイルデバイスアプリケーション（「アプリ」）によって制御されることができる。いくつかの他の実施形態において、昆虫トラップ１は、自動的に光源２００を点けかつ消すために、または、一定時間の間（例えば、夜間）光源２００を減光するために、タイマーを備え得る。
【００２９】
特定の実施形態において、光源２００は方向性ライトを含む。例えば、方向性ライトはＬＥＤであることができる。光源２００は、ハウジング１００またはフレームに、またはその上に据え付けられる。いくつかの実施形態において、光源２００は、図１〜３、６、及び７の例示的な実施形態に示されるように、ハウジング１００の内部に据え付けられる。光源２００は、光源２００からの方向性ライトが面に向けられることができるように、据え付けられることが好ましい。例示的な実施形態において、光源２００からの方向性ライトは、ハウジング１００の内部の１つ又は複数の面に向けられる。例えば、方向性ライトの少なくとも一部は、抑制要素３００（例えば、接着板）に向けられることができる。ライトの別の一部は、ハウジングの背壁１６０、側壁１２０、１３０、底部１４０、または上部１５０などの別の面に向けられることができる。光源２００がフレームに据え付けられ、フレームが壁に据え付けられている場合、方向性ライトの一部は、壁に向けられることができる。昆虫トラップ１は、ハウジング１００の面に向けられた方向性ライトの一部が面に反射し、ハウジング１００の外側に見られることができるように、構成されることができる。
【００３０】
昆虫トラップ１は、捕獲ゾーン１１として定義される領域によって囲まれることができる（図５）。捕獲ゾーン１１は、昆虫トラップ１の１ｍ半径内、または、昆虫トラップ１の８０ｃｍ半径内、半径６０ｃｍ半径内、または４０ｃｍ半径内の領域として定義されることができる。いくつかの実施形態において、捕獲ゾーンは、昆虫トラップ１が据え付けられる壁上の領域などの、昆虫トラップ１を囲んでいる領域として定義されることができる。いくつかの実施形態において、光源２００によって放射された光の大部分は、筐体内または捕獲ゾーン内の面に選択的に向けられる。光が光源２００によって放射される場合、その光は、一次光と呼ばれ得る。光が物質（例えば、面）に反射する場合、その反射光は二次光（または高次（例えば、三次、四次、五次））光と呼ばれ得る。いくつかの実施形態において、光源２００によって放射された一次光の大部分は、筐体内または捕獲ゾーン内の面に選択的に向けられる。例えば、一次光の、少なくとも５０％、少なくとも６０％、少なくとも７０％、少なくとも８０％、少なくとも９０％、少なくとも９５％、少なくとも９６％、少なくとも９７％、または少なくとも９８％は、筐体内または捕獲ゾーン内の面に向けられ得る。ある実施形態において、一次光の９９％以上は、筐体内または捕獲ゾーン内の面に向けられ得る。
【００３１】
単一の方向性光源（例えば、単一のＬＥＤ）によって放射された光ビームは、図６に概略的に示される中心軸Ａを有する。いくつかの実施形態において、光源２００は、光ビームの中心軸Ａがハウジングの内面を横切るように、向けられる。昆虫トラップ１が複数の方向性光源（例えば、ＬＥＤ）を含む場合、複数の光源の１つ又は複数の中心軸Ａは、ハウジングの内面を横切る。さらなる実施形態において、複数の方向性光源２００の中心軸Ａのすべては、捕獲ゾーン１１内の面を横切る。その面は、ハウジング１００または壁の面であり得る。
【００３２】
いくつかの実施形態において、光源２００によって放射された一次光は、筐体１０１の内部に配置された接着板１３１に向けられる。光源２００によって放射された一次光は、ハウジングの、背壁１６０、側壁１２０、１３０、底部１４０、または上部１５０にも向けられ得る。接着板１３１の面、背壁１６０、または筐体１０１の他の内面（側壁１２０、１３０、底部１４０、または上部１５０）に反射した、二次光または高次光の一部は、開口１７０を通って筐体１０１から漏れ出ることができる。
【００３３】
図６に見られるように、光源２００によって放射された光は、接着板３１０に向けられることができる。昆虫トラップ１がハエを捕獲するのに使用される場合、着地面（例えば、接着板３１０）の方に光源２００から向かう光は、捕獲を増加させるのに役立ち得る。
【００３４】
昆虫トラップ１は、光源２００から放射された光を拡散させる、拡散器も含み得る。例えば、拡散器は、光を拡散させる半透明物質（例えば、半透明プラスチックまたはガラス膜）であり得る。拡散器は、光路が直接的に光源上かまたはさらに離れて設置されることができる。光源２００はレンズも含み得る。レンズは、光の焦点を合わせるか、または光を望む方向に向かわせるのに、使用されることができる。
【００３５】
壁（前壁１１０、側壁１２０、１３０、底部１４０、上部１５０、及び／または背壁１６０）の内面は、所望の反射特性を持つ色または面処理を有することができる。例えば、１つ又は複数の壁の内面は、反射材料で作られ得るか、または高反射材料（例えば、研磨された金属または鏡状のもの）または色などの反射特性を持つコーティングを有する。追加の反射面５００は、光源２００によって放射された光を向けるために、筐体内に、または開口の１つかまたはその近くに、位置付けられることができる。例えば、昆虫トラップ１の前にいる可能性のある者から離れて光を向けるために、隔壁は前向き開口の近くに位置付けられることができる。代わりに、内面は低反射率を有することができる。いくつかの実施形態において、壁の内面は、黒色、暗灰色、青色、茶色、緑色、または他の相対的に暗色などの、暗色を有する。昆虫トラップ１が接着板１３１を含む場合、接着板１３１は任意の適切な色であり得る。市販の色は白色及び黒色を含むが、他の色も使用されることができる。
【００３６】
昆虫トラップ１の外面は、任意の適切な色を有することができ、部屋の装飾に適合させることができ、または、掛時計、標示、点灯装置、通気孔などの他の物体らしく見えるように、昆虫トラップ１を隠すように偽装されることができる。いくつかの実施形態において、昆虫トラップ１の外面は、黒色、暗灰色、青色、茶色、緑色、または他の相対的に暗色などの暗色を有する。
【００３７】
昆虫トラップ１は、紫外光及び広く電気装置に関連した安全性欠陥を最小化するように構築されることができる。例えば、ハウジング１００及び光源２００は、昆虫トラップ１の外側に漏れるか、または昆虫トラップ１の付近の者に潜在的に到達する可能性がある、紫外線放射の量を最小化するように構成されることができる。昆虫トラップ１を出る紫外線放射の量は、ハウジング１００の形状によって、光源２００を適切に向けることによって、光がハウジング１００の内部にほとんど残るように光を反射させることによって（例えば、反射面５００の使用によって）、また、狭い波長の電球を使用することによって、最小化されることができる。ハウジングは、ほとんど人間がいない方向に、例えば、壁に沿って上方に、筐体から漏れる任意の放射を向けるように構築されることもできる。いくつかの実施形態において、昆虫トラップ１を出る紫外線放射の量は、光源２００の方向、ビーム角、及び／または強度を制御することによって最小化される。このような制御は、例えば、ＬＥＤ電球の使用によって達成されることができる。昆虫トラップ１は、低電圧ＬＥＤ電球などの低電圧光源２００も使用するように構成され得る。例示的な実施形態において、光源２００は、１２ＶのＬＥＤライトを備える。
【００３８】
昆虫トラップ１は、抑制要素３００をさらに含む。抑制要素３００は、昆虫が空間から取り除かれることができるように、昆虫を動けなくする接着面（例えば、接着板）であり得る。抑制要素３００は、動かない死んだ昆虫が簡単に取り除くことができるように、着脱可能かつ交換可能であり得る。抑制要素３００は、昆虫を気絶させるか、または昆虫の飛行経路を接着面に向ける、低電圧トラップ、または昆虫を感電死させる高電圧トラップなどの、電気トラップも含み得る。電気トラップは、昆虫トラップ１の電源２５０に接続されよう。
【００３９】
昆虫トラップ１は電源２５０も含み得る。昆虫トラップ１（例えば、含まれる場合は、光源２００、制御装置、及び電気トラップ）の作動要素に電力供給するのに十分である、任意の適切な電源２５０が使用されることができる。電源２５０は、昆虫トラップ１の電力供給される構成要素に、直流（ＤＣ）または交流（ＡＣ）のいずれかを送達することができる。例えば、電源２５０は、昆虫トラップ１を電源コンセント接続する電線、またはバッテリ装置であることができる。いくつかの実施形態において、昆虫トラップ１は、バッテリ及び家庭用電源への接続部を含み得る。いくつかの実施形態において、太陽電池及び／または充電式バッテリなどの、代わりの電源が使用されることができる。電源２５０は、作動要素によって必要とされる発電量を提供するように適合されることができる。例えば、昆虫トラップ１がＬＥＤライトを含む場合、電源２５０は、低電圧（例えば、５０Ｖ未満）を提供するように適合されることができる。昆虫トラップ１は、電源２５０と結合された変圧器も備え得る。
【００４０】
図２に示されるように、昆虫トラップ１”は、例えば、ハウジング１００の内部の餌場所４００に据え付けられた、餌構成要素４１０を選択的に含み得る。餌構成要素４１０は、食料源またはフェロモンを含む、任意の適切な昆虫の餌または誘引剤、及び選択的に殺虫剤を含み得る。
【００４１】
例示的な実施形態において、昆虫トラップ１は、ハウジング１００の上部またはその近くの背壁１６０及び開口１７０、接着板１３１、及び、ハウジング１００上に据え付けられた１つ又は複数の電球２１０を有する、ハウジング１００を備える。１つ又は複数の電球２１０から放射された光は、接着板１３１及び背壁１６０に向けられる。接着板１３１、背壁１６０、及び、ハウジング１００の内部の他の面から反射された光は、開口１７０を通って出ることができ、ハウジング１００の周りの捕獲ゾーン１１の一部を照らす。
【００４２】
図９Ａ、９Ｂ、及び１０は、昆虫トラップ１００１、２００１及びハウジング１１００、２１００の代わりの実施形態を示す。図１０の例示的なハウジング２１００は、上部（２１７０）、底前部（２１７１）、及び側部（２１７２、２１７３）に位置付けられた、複数の開口２１７０、２１７１、２１７２、２１７３を含む。前部開口２１７１は、光源２００からの光を反射する隔壁を含み得る。
【００４３】
筐体の面（例えば、筐体の内部のまたは隣接した面）に向けられた光は、昆虫トラップが位置付けられる部屋にほぼ向けられた光よりも高い捕獲をもたらすことが、確認されている。光は筐体の内部の複数の面に向けられることができるが、接着板１３１及び任意選択で背壁１６０に向けられた光は、筐体全体を照らすよりも高い捕獲をもたらすことが、予想外に確認されている。さらに、電球が極近距離で接着板１３１に向けられた場合、筐体の内部の接着板１３１上に光の極度に照らされた領域をもたらし、高い捕獲が達成された。
【００４４】
昆虫トラップ１は、ハウジング１００の上部及びその近くの背壁１６０及び開口１７０、抑制要素３００（例えば、接着板１３１）、及びハウジング１００上に据え付けられた１つ又は複数の電球２１０を有する、ハウジング１００を備える。ハウジング１００は、ハウジング１００の異なる側（例えば、第１の側、第２の側、前部、及び／または底部）上に位置され得る、２つ、３つ、４つ、またはそれ以上の開口も含み得る。いくつかの例において、壁（例えば、側壁１２０、１３０、上部１５０、または底部１４０）のうちの１つ又は複数は、欠落し、開口１７０を提供する。昆虫トラップ１は、光源２００のうちの少なくとも１つが方向性光を含む、１つ又は複数の光源２００をさらに備える。光源２００は、ソケット２２０及びソケット２２０に据え付けられた電球２１０を含むことができる。電球２１０は、約３４０〜約５００ｎｍ、約３６５〜約４２０ｎｍ、約３８０〜約４１０ｎｍ、約３８５〜約４０５ｎｍ、または約４０５ｎｍの波長を有する光を放射することができる。光源２００は、異なる波長の光を放射するように選択されることできる、複数の電球２１０を備えることができる。例えば、光源２００は、３６０〜４００ｎｍ、４００〜４５０ｎｍ、４５０〜５００ｎｍ、３８５〜４０５ｎｍ、約３６５ｎｍ、約３８５ｎｍ、約４０５ｎｍ、またはそれらの組合せの光を放射する、電球を備えることができる。少なくとも１つの電球２１０は、接着板１３１、背壁１６０、１つ又は複数の側壁、底部１４０、またはそれらの組合せに向けられる。昆虫トラップ１は、昆虫トラップ１の８０ｃｍ半径、６０ｃｍ半径、または４０ｃｍ半径の内の捕獲ゾーン１１として定義された範囲によって囲まれることができる。光源２００によって放射された光の大部分（例えば、一次光の、少なくとも５０％、少なくとも６０％、少なくとも７０％、少なくとも８０％、少なくとも９０％、少なくとも９５％、少なくとも９６％、少なくとも９７％、または、少なくとも９８％）は、筐体内または捕獲ゾーン内の面に選択的に向けられる。昆虫トラップ１は、電源２５０、ハウジング１００の内部の餌場所４００に据え付けられた任意選択の餌構成要素４１０、及び、電源２００を遠隔で制御するのに使用されることができる制御機構６００も含む。制御機構６００は、遠隔制御及び／またはタイマーを含み得る。
【００４５】
昆虫トラップ１は、従来技術の昆虫トラップを超えて複合的な利益を提供し得る。例えば、ＬＥＤ光源の使用により、昆虫トラップ１は、低エネルギー利用を有し、低電圧電源によって電力供給されることができ、それによって、安全性への懸念を減らす。ＬＥＤ光源は、熱もあまり生成せず、昆虫トラップ１のプラスチック部分及び接着板の寿命を増加させる。方向性ＬＥＤが、蛍光紫外光と同様かまたは時にはそれより良い効率でも、ハエを誘引するのに使用されることができるという、驚くべき発見のために、これらの利益が少なくとも部分的に可能となる。ＬＥＤ光源の実装は、時には近紫外線（またはＵＶＡ）帯域、または紫外光（例えば、約４００ｎｍを超える）と考えられる帯域の外部でさえもあり得る、より狭い波長帯域の使用も可能にし、昆虫トラップ１から漏れる紫外光への人間の潜在的被曝を低減させる。ＬＥＤ光源は、より小さいトラップの構築も可能にし、トラップを目立たないようにし、より小さい空間に収まるようにする。
【実施例】
【００４６】
イエバエを捕獲し動けなくする、様々な昆虫トラップの有効性が試験された。昆虫トラップは、開放された上部、光源、電源、及び接着板を有するハウジングを含む。ハウジングは、市販のハエ取り器、ＳＴＥＡＬＴＨ（登録商標）Ｍａｘｉｍａ（Ｓｔ．Ｐａｕｌ，ＭＮのＥｃｏｌａｂ  Ｉｎｃ．，から購入可能）から入手された。ハウジングは、ＬＥＤライトを収容するように改造された。
【００４７】
ハエ捕獲率は、標準試験プロトコルを使用して、半時間という期間に捕獲されたハエの数として評価された。およそ１３〜１５日（幼生段階を含む）の成虫のイエバエ（Ｍｕｓｉｃａ  ｄｏｍｅｓｔｉｃａ  Ｌｉｎｎａｅｕｓ）の人工飼育種が使用された。それぞれの試験期間中、１００匹のハエが試験室に放出されたが、１ｍ３当たり約３．６匹の密集度という結果になった。試験室の寸法は、およそ１９．５フィート（５．９４ｍ）×１１フィート（３．３５ｍ）×７フィート（２．１３ｍ）だった。試験室は、試験中、８０±５°Ｆ（２６．７±−１５℃）及び相対湿度３５±１０％で維持された。室内灯は、試験中に点灯され続けた。未使用の接着板がトラップに置かれた後、ハエは、部屋に１時間、順応するようにされた。３０分後、接着板は取り除かれ、接着板に捕獲されたハエの数が数えられた。部屋のハエの数は、一次捕獲において捕獲されたハエと同じ数だけ補充された。新しい接着板がトラップに置かれ、捕獲されたハエが３０分後に再び数えられた。二次捕獲が記録された。接着板を置き換えるこのプロセスは、統計的に代表データを実現するために、数度繰り返された。
【００４８】
それぞれの例において、ハウジングには、説明されたようにＬＥＤライトが装備されていた。ＬＥＤライトは、１２Ｖ直流変圧器を使用して、所内電力によって電力供給された。
【００４９】
実施例１
ＬＥＤライトを配向し、ＬＥＤから放射された光を指向する効果が評価された。試験の１セットにおいて、１００個のＬＥＤは、ＬＥＤからの光がハウジングの背壁に向けられ、試験室の中に出るように、配向された。試験の別のセットにおいて、１つの（１）ＬＥＤ構成要素は、ハウジングの筐体の内部の方に、放射された光を向けるように配向され、かつ、１００個のＬＥＤは、背壁に光を向け、室の中に出るように、配向された。平均捕獲が記録された。結果は図１１に示される。
【００５０】
筐体の内部に向けられた１つのＬＥＤライトを含めて、１００個のＬＥＤによって達成された捕獲を増加させたことが、観察された。
【００５１】
実施例２
ＬＥＤライトを配向し、ＬＥＤから放射された光を指向する効果が評価された。それぞれの試験において、ハウジングには、２つのＬＥＤ光源、１つの放射紫外線ライト（約３６５ｎｍ）、及び、１つの放射青色ライト（約４７０ｎｍ）が装備された。ハウジングは、１つが前壁の内部にあり、もう１つが内部底部に沿ってある、２つの接着板と、ハウジングの背壁に沿って位置付けられた反射板を含む。
【００５２】
第１の試験において、両方のＬＥＤ光源は、ハウジングの背後及びその上の壁に向けられた。第２の試験において、両方のＬＥＤ光源は、試験室の中に向けられた。第３の試験において、紫外線ＬＥＤは、ハウジングの背後及びその上の壁に向けられ、青色ＬＥＤは試験室の中に向けられた。第４の試験において、紫外線ＬＥＤは、ハウジングの背後及びその上の壁に向けられ、青色ＬＥＤはハウジングの内部の中に下方に向けられた。試験設定は、図１２Ａ〜１２Ｄに概略的に示される。
【００５３】
結果は、図１３の箱ひげ図に示される。試験室の中に向けられた両方のＬＥＤは、最低の捕獲をもたらし、ハウジングの内部の方に１つのＬＥＤを向けることは、最高の捕獲をもたらしたことが、観察された。
【００５４】
実施例３
紫外線に加えて青色または緑色ライトの効果が評価された。ハウジングには、紫外線ＬＥＤ（約３６５ｎｍ）だけか、または、紫外線ライト及び青色ライト（約４７０ｎｍ）か緑色ライト（約５１０ｎｍ）かのいずれかを放射する、ＬＥＤ光源が装備された。ハウジングには１つの接着板が装備された。
【００５５】
結果は、図１４の箱ひげ図に示される。紫外線を加えた青色及び緑色ライトの両方は、紫外線だけよりも捕獲を増加させた。
【００５６】
実施例４
紫外線に加えて青色ライトの効果が評価された。ハウジングには、紫外線ライト（約３６５ｎｍ）だけか、または、紫外線ライト及び青色ライト（約４７０ｎｍ）のいずれかを放射する、ＬＥＤ光源が装備された。ハウジングには１つの接着板が装備された。それぞれの試験において、２つのスポットライト型ライトが使用され、１つは接着板の方へ光を向けるように位置付けられ、もう１つは開口に向かって上方に背壁に沿って角度付けられた。スポットライトは、３つのＬＥＤ構成要素を含んだ。
【００５７】
結果は以下の表１に示される。青色ライトだけは、紫外線だけに比べて捕獲を減少させたが、紫外線及び青色ライト合わせては、紫外線だけに匹敵する結果を達成したことが、観察された。
【表１】
0006802267.tif 000002
【００５８】
実施例５
ＬＥＤ紫外光源を備えたハエ捕獲が、蛍光紫外光源と比較された。ＬＥＤ設定において、２つのスポットライト型ライトが使用され、１つは接着板の方へ光を向けるように位置付けられ、もう１つは開口に向かって上方に背壁に沿って角度付けられた。ＬＥＤライトは、黒色ハウジング及び白色ハウジングで試験された。蛍光ライトは、白色ハウジングのみにおいて試験された。蛍光設定において、２つの蛍光灯は、ハウジングの内部に水平に設置された。
【００５９】
１２の試験がそれぞれの設定で実行され、結果は、午前中及び午後中に実行された試験として別々に記録された。その結果は図１５に示される。接着板及び背壁の方に向けられた、ＬＥＤ光源を使用した捕獲は、蛍光光源を使用した捕獲と匹敵することが、観察された。
【００６０】
実施例６
光源を備えるいくつかの様々なハエ取り器が試験され、比較された。試験されたハエ取り器は、以下であった（図１６に提示されている順番に）：
Ｅｃｏｌａｂから入手可能な、２つの蛍光電球を使用したＳＴＥＡＬＴＨ（登録商標）Ｍａｘｉｍａ
２つのＬＥＤスポットライト、タイプ１を使用した、ＳＴＥＡＬＴＨ（登録商標）Ｍａｘｉｍａ
Ｊｏｎｅｓｂｏｒｏ，ＡＲのＧｉｌｂｅｒｔ  Ｉｎｄｕｓｔｒｉｅｓから入手可能な、ＧＩＬＢＥＲＴ（登録商標）２００２ＧＴ
Ｈｏｒｉｃｏｎ，ＷＩのＧａｒｄｎｅｒ  Ｐｒｏｄｕｃｔｓから入手可能な、ＧＡＲＤＮＥＲ（商標）ＧＴ−２００
Ｆｌｏｒｈａｍ  Ｐａｒｋ，ＮＪのＢＡＳＦから入手可能な、ＶＥＣＴＯＲ（登録商標）ＣＬＡＳＳＩＣ（登録商標）
Ｃｏｌｕｍｂｕｓ，ＮＥのＰａｒａｃｌｉｐｓｅから入手可能な、ＰＡＲＡＣＬＩＰＳＥ（登録商標）Ｉｎｓｅｃｔ  Ｉｎｎ  ＩＩ
２つのＬＥＤスポットライト、タイプ２を使用した、ＳＴＥＡＬＴＨ（登録商標）Ｍａｘｉｍａ
Ｇａｒｄｎｅｒ  Ｐｒｏｄｕｃｔｓから入手可能な、ＧＡＲＤＮＥＲ（商標）ＷＳ−８５
【００６１】
ＳＴＥＡＬＴＨ（登録商標）Ｍａｘｉｍａフレームが、市販の２つの蛍光電球構成とともに、ＬＥＤスポットライトの２つの異なるタイプ（タイプ１とタイプ２）で試験された。
【００６２】
結果は、図１６に示される。ＬＥＤを適合させるためのさらなる最適化なしに、ＳＴＥＡＬＴＨ（登録商標）Ｍａｘｉｍａフレームにおける２つのタイプ１のＬＥＤを使用した捕獲が、蛍光電球を備えたＳＴＥＡＬＴＨ（登録商標）Ｍａｘｉｍａとほぼ同じくらい高く、また競合デバイスよりも高い捕獲をもたらすことが観察された。
【００６３】
実施例７
光源を接着板の近くに置く効果が調べられた。昆虫トラップには、２つのＬＥＤ紫外ライトが備えられた。１つのライトは、黒壁に据え付けられた接着板に向けられ、接着板から約２〜３インチ（約５．０８〜７．６２ｃｍ）内に位置付けされた。もう１つのライトは、接着板に向けられ、昆虫トラップの床に据え付けられた接着板から約３〜４インチ（約７．６２〜１０．１６ｃｍ）内に位置付けされた。ライトの位置付けは、ハウジングの内部における非常に強いスポットライトをもたらした。
【００６４】
図１７は、試験後のハウジングの内部の写真を示す。最も強い照明範囲に、ハエの密集が確認できる。接着板に近い、またそれに向けた光源の位置付けによって、向上した捕獲が達成される可能性のあることが観察された。
【００６５】
実施例８
様々な波長のＬＥＤライトの様々な組合せの効果が評価された。３６５ｎｍ、３８５ｎｍ、及び４０５ｎｍの組合せが、表２に従って試験された。実施例５においてトラップが設置され、そこでは、２つのスポットライトタイプの光が使用され、１つは、接着板に光を向けるように位置付けられ、もう１つは、開口に向けて上向きに、また背壁に沿って傾けられた。１つのみの波長が挙げられている試験では、２つの電球が使用された。３つの光源が挙げられている場合（例えば、組合せ１：２×４０５ｎｍと１×３６５ｎｍ）、２つの電球が使用され、各電球には、表に示されているようなＬＥＤの組合せが含まれた。試験のすべてにおいて、使用された総電力（ワット）は、電源個数に関係なく、同じであった。全体平均の結果は、図１８に図表で示される。
【表２】
0006802267.tif 000003
【００６６】
最も高い捕獲が、４０５ｎｍのＬＥＤ電球で得られることが観察された。
【００６７】
実施例９
本開示による４０５ｎｍＬＥＤ電球を備える銀色の昆虫トラップ（試作品）を使用したハエ捕獲が、蛍光紫外電球を備える市販の白色昆虫トラップ（ＳＴＥＡＬＴＨ（登録商標）Ｍａｘｉｍａ）と比較された。実施例５において試作品のトラップが設置され、そこでは、２つのスポットライトタイプの光が使用され、１つは、接着板に光を向けるように位置付けられ、もう１つは、開口に向けて上向きに、また背壁に沿って傾けられた。結果は、表３及び図１９に示される。
【表３】
0006802267.tif 000004
【００６８】
４０５ｎｍのＬＥＤ電球を備える銀色の試作品が、市販の昆虫トラップと同様に機能することが観察された。
【００６９】
実施例１０
様々な波長のＬＥＤライト（青色光、３６５ｎｍ、３８５ｎｍ、及び４０５ｎｍ）を使用したハエ捕獲が試験された。実施例５においてトラップが設置され、そこでは、２つのスポットライトタイプの光が使用され、１つは、接着板に光を向けるように位置付けられ、もう１つは、開口に向けて上向きに、また背壁に沿って傾けられた。結果は、表４及び図２０に示される。
【表４】
0006802267.tif 000005
【００７０】
最も高い捕獲が、４０５ｎｍのＬＥＤ電球で得られ、僅差で３８５ｎｍのＬＥＤ電球がそれに続くことが観察された。捕獲が、３６５ｎｍよりも３８５〜４０５ｎｍの範囲でわずかに高くなることがさらに観察された。
【００７１】
実施例１１
様々な波長のＬＥＤライト（３６５ｎｍ、３８５ｎｍ、及び４０５ｎｍ）を使用したハエ捕獲が試験された。電球は、Ｓｔ  Ｐａｕｌ，ＭＮのＮｅｘｔｅｒｎから入手可能な、特別注文のＮＥＸＴＥＲＮ電球であった。実施例５においてトラップが設置され、そこでは、２つのスポットライトタイプの光が使用され、１つは、接着板に光を向けるように位置付けられ、もう１つは、開口に向けて上向きに、また背壁に沿って傾けられた。結果は、表５及び図２１に示される。
【表５】
0006802267.tif 000006
【００７２】
最も高い捕獲が、４０５ｎｍのＬＥＤ電球で得られ、僅差で３８５ｎｍのＬＥＤ電球がそれに続くことが観察された。
【００７３】
実施例１２
試作品のトラップ、及び蛍光紫外電球を備える市販の白色昆虫トラップ（ＳＴＥＡＬＴＨ（登録商標）Ｍａｘｉｍａ）における２つの異なるＬＥＤ電球を使用して、ハエ捕獲が試験された。実施例５において試作品のトラップが設置され、そこでは、２つのスポットライトタイプの光が使用され、１つは、接着板に光を向けるように位置付けられ、もう１つは、開口に向けて上向きに、また背壁に沿って傾けられた。ＬＥＤ電球は、４０５ｎｍ電球（ＣｈｉｎａのＳｈｅｎｚｈｅｎ  Ｅｘｃｅｅｄ  Ｅｌｅｃｔｒｏｎｉｃから入手可能なＥＸＣＥＥＤ電球とＮＥＸＴＥＲＮ電球）であった。ＮＥＸＴＥＲＮ電球は、それが凍結カバーを有する点で、ＥＸＣＥＥＤ電球とは異なる。結果は、表６及び図２２に示される。
【表６】
0006802267.tif 000007
【００７４】
Ｗｈｉｔｅ  Ｍａｘｉｍａトラップが、わずかに優れて機能したが、ＬＥＤ電球による試作品も、ＮＥＸＴＥＲＮ電球がＥＸＣＥＥＤ電球よりわずかに高い捕獲の結果をもたらして、うまく機能することが観察された。
【００７５】
実施例１３
様々な波長のＬＥＤライト（青色光、３６５ｎｍ、３８５ｎｍ、及び４０５ｎｍ）を使用したノミバエのハエ捕獲が試験された。実施例５においてトラップが設置され、そこでは、２つのスポットライトタイプの光が使用され、１つは、接着板に光を向けるように位置付けられ、もう１つは、開口に向けて上向きに、また背壁に沿って傾けられた。ノミバエが他の実施例で使用されるイエバエよりも小さいことから、試験方法が調整された。この試験では、５０匹のノミバエが、クリアアクリル製で、２フィート（６０．９８ｃｍ）×２フィート（６０．９８ｃｍ）×６．５フィート（１９８．１２ｃｍ）のおよそのサイズを有するフライトボックスの中に放された。３０分の間隔で、一度に１つずつトラップが試験され、試験順番は、無作為化された。試験されるトラップは、壁に付けられたフライトボックスの中に置かれ、トラップの上の壁を覆うのに白い紙が使用された。ハエは、フライトボックスの中に放され、３０分後にトラップの接着板が調べられた。結果は、表７及び図２３に示される。
【表７】
0006802267.tif 000008
【００７６】
最も高い捕獲が、青色（４７０ｎｍ）ＬＥＤ電球で得られ、４０５ｎｍのＬＥＤ電球がそれに続くことが観察された。波長を変えることによって、様々な昆虫の種類をターゲットとするように、昆虫トラップが調整され得ることが結論付けられた。
＊  ＊  ＊
【００７７】
本発明の特定の実施形態が説明されているが、その他の実施形態も存在し得る。本明細書は、発明を実施するための形態を含むが、本発明の範囲は、以下の請求項によって示される。さらに、本明細書は、構造的特徴及び／または方法論的動作に特有の言語で説明されているが、請求項は、上に説明された特徴または動作に限定されるものではない。むしろ、上に説明された特定の特徴及び動作は、本発明の例示的な態様及び実施形態として開示される。様々なその他の態様、実施形態、修正形態、及びそれらの均等物は、本明細書における発明を実施するための形態を読んだ後、本発明の趣旨、または請求項に記載された発明の対象の範囲から逸脱することなく、当業者にそれら自体を示唆し得る。以下、本発明の実施形態の例を列記する。
［１］
（ａ）壁及び少なくとも１つの開口を備え、前記壁が内部空間を画定する、ハウジングと；
（ｂ）前記内部空間に据え付けられた方向性光源を備え、前記光源は、ＬＥＤライトを備え、前記光源は、前記光源から放射された光の大部分が前記内部空間における１つ又は複数の面に向けられるように位置付けられた、光源と；
（ｃ）前記内部空間に据え付けられ、かつ節足動物を動けなくするか、殺傷するか、または封じ込めるように構成された、抑制要素と、を備える、トラップ。
［２］
（ａ）壁及び少なくとも１つの開口を備え、前記壁が内部空間を画定する、ハウジングと；
（ｂ）前記内部空間に据え付けられた方向性光源を備え、前記光源は、３５０〜５００ｎｍの範囲の１つ又は複数の波長で光を放射するように構成され、前記光源は、前記光源から放射された前記光の大部分が前記内部空間における１つ又は複数の面に向けられるように位置付けられた、光源と；
（ｃ）前記内部空間に据え付けられ、かつ節足動物を動けなくするか、殺傷するか、または封じ込めるように構成された、抑制要素と、を備える、トラップ。
［３］
（ａ）面上に据え付け可能なフレームと；
（ｂ）前記フレーム上に据え付けられた方向性光源を備え、前記光源が、紫外光、紫色光、青色光、緑色光、及びそれらの組合せから選択される１つ又は複数の波長の光を放射するように構成され、かつ前記光源は、前記光源から放射された前記光の大部分が前記面に向けられるように位置付けられた、光源と；
（ｃ）前記光源に電力を送達するように適合された電源と、
（ｄ）前記フレーム上に据え付けられ、節足動物を動けなくするか、殺傷するか、または封じ込めることが可能である、抑制要素と、を備える、トラップ。
［４］
前記抑制要素が接着板である、項目１〜３のいずれか一項に記載のトラップ。
［５］
前記抑制要素が電気抑制要素である、項目１〜４のいずれか一項に記載のトラップ。
［６］
前記方向性光源が、１つ又は複数のＬＥＤを備える、項目１〜５のいずれか一項に記載のトラップ。
［７］
前記方向性光源が紫外光を放射する、項目１〜６のいずれか一項に記載のトラップ。
［８］
前記トラップが、バッテリ電源を備える電源を備える、項目１〜７のいずれか一項に記載のトラップ。
［９］
前記トラップが、系統電力への接続を備える電源を備える、項目１〜８のいずれか一項に記載のトラップ。
［１０］
前記方向性光源によって放射された前記光の２５％未満が、前記昆虫トラップの内面から反射することなく前記内部空間から漏れるように、前記方向性光源が位置付けられる、項目１〜９のいずれか一項に記載のトラップ。
［１１］
前記節足動物がハエを含み、前記波長が前記ハエを誘引するように選択される、項目１〜１０のいずれか一項に記載のトラップ。
［１２］
前記フレームが、壁及び少なくとも１つの開口を備えるハウジングをさらに備え、前記壁が内部空間を画定し、前記光源及び前記抑制要素が、前記内部空間に据え付けられる、項目２に記載のトラップ。
［１３］
前記光源が、３８０〜４２０ｎｍの範囲の波長の光を放射するように構成される、項目２〜１２のいずれか一項に記載のトラップ。
［１４］
前記光源が、３８５〜４１０ｎｍの範囲の波長の光を放射するように構成される、項目２〜１３のいずれか一項に記載のトラップ。
［１５］
前記トラップが、約４０５ｎｍの波長の光を放射するように構成された、少なくとも１つの光源を備える、項目２〜１４のいずれか一項に記載のトラップ。
［１６］
前記ハウジングが、前面カバーを備える、項目１、２、及び４〜１５のいずれか一項に記載のトラップ。
［１７］
前記ハウジングが背壁を備え、前記前面カバーが前記背壁に枢動可能に接続される、項目１６に記載のトラップ。
［１８］
前記前面カバーがヒンジによって前記背壁に接続され、前記前面カバーが、開位置及び閉位置を有する、項目１７に記載のトラップ。
［１９］
前記前面カバーが着脱可能である、項目１６に記載のトラップ。
［２０］
前記ハウジングが、背壁及び前記背壁と結合された前面カバーを備え、前記背壁及び前記前面カバーが、１つ又は複数の開口を画定する、項目１、２、及び４〜１９のいずれか一項に記載のトラップ。
［２１］
前記ハウジングが、上端開口、１つ又は複数の側面開口、下端開口、またはそれらの組合せを備える、項目１、２、及び４〜２０のいずれか一項に記載のトラップ。
［２２］
前記ハウジングが、前記内部空間にフレームを備え、前記光源が前記フレーム上に据え付けられる、項目１、２、及び４〜２１のいずれか一項に記載のトラップ。
［２３］
前記ＬＥＤライトが、イエバエを誘引するように選択された波長を有する、項目１〜２２のいずれか一項に記載のトラップ。
［２４］
前記ＬＥＤライトが、ショウジョウバエを誘引するように選択された波長を有する、項目１〜２３のいずれか一項に記載のトラップ。
［２５］
前記ＬＥＤライトが、ガを誘引するように選択された波長を有する、項目１〜２４のいずれか一項に記載のトラップ。
［２６］
項目１〜２５のいずれか一項に記載のトラップの使用。
【図１】
0006802267.tif 000009
【図２】
0006802267.tif 000010
【図３】
0006802267.tif 000011
【図４Ａ】
0006802267.tif 000012
【図４Ｂ】
0006802267.tif 000013
【図５】
0006802267.tif 000014
【図６】
0006802267.tif 000015
【図７】
0006802267.tif 000016
【図８】
0006802267.tif 000017
【図９Ａ】
0006802267.tif 000018
【図９Ｂ】
0006802267.tif 000019
【図１０】
0006802267.tif 000020
【図１１】
0006802267.tif 000021
【図１２Ａ】
0006802267.tif 000022
【図１２Ｂ】
0006802267.tif 000023
【図１２Ｃ】
0006802267.tif 000024
【図１２Ｄ】
0006802267.tif 000025
【図１３】
0006802267.tif 000026
【図１４】
0006802267.tif 000027
【図１５】
0006802267.tif 000028
【図１６】
0006802267.tif 000029
【図１７】
0006802267.tif 000030
【図１８】
0006802267.tif 000031
【図１９】
0006802267.tif 000032
【図２０】
0006802267.tif 000033
【図２１】
0006802267.tif 000034
【図２２】
0006802267.tif 000035
【図２３】
0006802267.tif 000036
【図２４】
0006802267.tif 000037